(57)【要約】【目的】電子図書を普及させることと納得してもらって料金を徴収することを両立させる電子図書システムを提供する。【構成】電子ファイルとして送信された図書内容を印刷すると前記電子ファイルの図書内容が消失することを特徴とする電子図書システム。【選択図】図１
2004206650.tif 000002
【特許請求の範囲】
【請求項１】
電子ファイルとして送信された図書内容を印刷すると前記電子ファイルの図書内容が消失することを特徴とする電子図書システム。
【請求項２】
電子ファイルとして送信された図書内容をデータ消失操作することで、図書内容を印刷した後に消失させることを特徴とする電子図書システム。
【請求項３】
請求項１または２の電子図書システムにおいて前記図書内容が消失したことの確認情報に応じて前記電子図書システムの利用者に特典が付与されることを特徴とする電子図書システム。
【発明の詳細な説明】
【０００１】
【産業上の利用分野】
本発明は電子図書システムに関する。
【０００２】
【従来の技術】物語や小説、技術解説書や週間漫画などの書籍は運送や倉庫保管、展示スペースなどの経費がかさみ、その経費が書籍代金に載せられて高価なものになっている。資源の有効活用の観点でも読まれずに回収廃棄される紙資源の無駄使いは無視できない。通信網やパソコンなどの電子機器が一般に普及してきたという背景と重なって、電子図書への期待が高まっている。電子図書としてはいくつかの技術が提案されている。特開２００２−３５２０９４では「デジタル著作物の使用許諾譲渡システム」と題して、一旦購入され、利用された電子書籍を擬似的に中古電子書籍として需要者に提供可能な電子書籍の使用許諾システムを提供するという課題に対して、電子書籍を復号する際に用いる閲覧鍵に電子書籍の再生表示条件を決定する閲覧パラメータを含め、この閲覧鍵を電子書籍の購入者に配布し、中古書籍を販売するときは、前記閲覧パラメータの譲渡回数を更新して、新規のコンテンツと中古コンテンツの閲覧条件を差別化できる仕組みを設けた電子書籍の使用許諾システムにより上記課題を解決するという技術を提供している。特開２００２−２０２７８６では、「電子書籍装置および音声再生システム」として、希望する有名人等のキャラクタ画像の音声で、外部の配信元から配信された書籍データを読み上げることができる電子書籍装置、及び音声再生システムを提供するという課題を設定して、その解決技術を提供している。特開２００２−１９７０８８では、「電子書籍装置および電子書籍表示システム」と題して、携帯性等の観点から表示領域の大きさに制約がある場合であっても、ユーザが快適に小説等を閲読できる電子書籍装置を提供するという課題に対して、データの区切りを工夫して読みやすくする技術を提供している。特開２００２−１８９８６７では、「デジタルデータ貸与システム、デジタルデータ貸与方法、及び媒体」と題して、著作権や出版文化を守りつつ、デジタルデータを貸与できるようにするという課題に対して、ネットワークを介して本を貸与するサーバは、本を貸与する権利に係る権利金の支払い処理を版元（出版社）のコンピュータに対して行うと共に、読書器に配信して貸与するに当たっては、貸与料を読者（読書器））から徴収し、その貸与料の中から版元にロイヤリティを支払い、貸与期間や同時貸与数を制限することにより出版社や本屋への影響を低減するという技術を提供している。
特開２００１−６７２６９においては、「電子出版物配布システム」と題して、不正コピー防止手段を設けたことによるシステム使用の複雑化を解消し、記録媒体を他人に貸与したり、同時に複数のタイトルの電子書籍を閲覧しても不正コピーを防止可能にするシステムを提供するという課題に対して、記録媒体はユーザ領域及び非ユーザ領域を備え、非ユーザ領域へは、非公開コマンドによってアクセス可能であり、配信装置および読み出し端末は、前記非公開コマンドによる非ユーザ領域へのデータの書き込みが可能である読み出し端末は、記録媒体の挿入後、ユーザ領域に記録された暗号化された電子データ及び非ユーザ領域に記録された電子鍵を含む電子情報を読み出すと共に、記録媒体中の非ユーザ領域に格納されていた電子情報を削除するという技術を提供している。特開２０００−１１３０５０では、「電子書籍システム」と題して、電子書籍購入の選択の自由度の向上と、購入コストの低減を図るという課題に対して、電子書籍の発行元は、電子書籍を専用に管理する電子書籍ビュアーでのみ読み出せる形式で且つその本専用の閲覧鍵により一部暗号化し、該閲覧鍵の無い状態では一部の情報が正常に読み出せない情報にして配布する。購読者は、一部欠落した電子書籍を閲覧し、正規の情報入手を希望する場合、閲覧鍵を有償にて入手し、暗号部分を解除して全ての情報を閲覧するという技術を提供している。
【公知の従来技術】特開２００２−３５２０９４、特開２００２−２０２７８６、特開２００２−１９７０８８、特開２００２−１８９８６７、特開２００１−６７２６９、特開２０００−１１３０５０
【０００３】
【発明が解決しようとする課題】従来の電子図書では、液晶ディスプレイなどのいわゆるコンピュータ表示装置に映し出してそれを閲覧することと比較して、プリントアウトして紙の上に文字や図を乗せてから閲覧することが電子図書利用者として価値が高いことに気が付いておらず、プリントアウトの有無でその電子図書の保有者の権利状態を変化させるという発想に至っていない。本発明ではプリントアウトの有無によって電子図書保有者の権利状態をきめ細かく変化させることで電子図書保有者の満足を向上させる。
【０００４】
【課題を解決するための手段】本発明の電子図書システムでは、電子ファイルとして送信された図書内容を印刷すると前記電子ファイルの図書内容が消失することを第１の特徴とし、
第２に電子ファイルとして送信された図書内容をデータ消失操作することで、図書内容を印刷した後に消失させることを、
第３に、第１または第２の特徴に加えて、前記図書内容が消失したことの確認情報に応じて前記電子図書システムの利用者に特典が付与されることを特徴とする。
【０００５】
【発明の実施の形態】本発明の電子図書システムでは、電子ファイルとして送信された図書内容を印刷すると前記電子ファイルの図書内容が消失する第１の特徴を備える場合には、コンピュータや携帯機器において電子図書ファイルを印刷するプリントコマンドが選択されるとプリンターが印刷を完了した旨の情報が前記コンピュータや携帯機器に入った時点でその情報によって印刷された電子図書ファイルは完全にその図書データを消去するように設定しておく。
第２に電子ファイルとして送信された図書内容をデータ消失操作することで、図書内容を印刷した後に消失させることを特徴とする場合には、前記電子ファイルを自身のＰＣ等に保管している所有者が図書内容を消失させるコマンドを選択して実行した場合には、消失させる前に図書内容を印刷するように設定しておく。
第３に、第１または第２の特徴に加えて、前記図書内容が消失したことの確認情報に応じて前記電子図書システムの利用者に特典が付与されることを特徴とする場合には、図書内容が消失した時点でその保有者は前記図書内容をだれかに不正コピーさせる可能性などの図書執筆者に不利益な行為が今後行なわれなくなるので、電子図書を配信した側はこのような消失を奨励するべきであるので特典を付与する。
【０００６】
【実施例】本発明の実施例１を示す。プリントアウトを一度行なったらファイルが自動的に消去される電子図書の例である。電子ファイルはメールに添付されて転送を繰り返されて思わぬ相手先にまで送り届けられてしまう場合がある。本実施例ではプリントアウトの操作を一度することでファイルが自動的に消去されるようプログラムが組まれた電子ファイルにしておくことで、送り先に必ずプリントアウトさせればその後の電子ファイルとしての転送を防げる。万が一プリントアウトせずに転送されても転送先で一度プリントアウトされてしまえばその後は電子ファイルとして再転送されることを防ぐ事もできる。電子図書として料理レシピを配信する場合にそのレシピが不特定多数の人に流布されるのを抑制する場合に用いられる。図１は配信された家庭のパソコンでプリントアウトの操作を行なった際の処理フローを示した。パソコンのアプリケーションが本発明のシステムで電子配信されたファイルか判別して該当していれば印刷後自動的に消去をし、該当していなければ印刷のみ行なう。尚、この電子配信ファイルは特別なパッチをアプリケーションに当てないと印刷できないようにしてある。電子配信ファイルを受信した際に、自動的にパッチが無料配信される。このパッチを一般的に普及している文章作成ソフトや描画ソフトに当てることで電子配信ファイルが印刷できる。ただし、このパッチを当てると図１のフローで印刷後消去される。
【０００７】本発明の実施例２を説明する。電子配信を受けた利用者がそのファイルが消去されるという認識を明確に持ったほうがよい場合に適用される例である。プリントアウトの操作をする代わりにファイル消去の操作をする以外は実施例１と同様である。
【０００８】本発明の実施例３を説明する。週刊誌の購読に適用する例である。
例えば週間漫画を電子ファイルで取り寄せて読む場合に電子ファイルとしては全ての漫画を取り寄せるのだが、特定の漫画だけをプリントアウトして熟読したい場合がある。この電子配信の週間漫画では１０作の漫画が掲載されているが３作分の漫画をプリントアウトするとその３作目をプリントアウトした直後にファイルが消去されるようにプログラムが設定されている。購読者は自分の好みの３作を選んで、プリントアウトおよび自動消去をしておく。その次の週の漫画の電子配信を要求した場合に前週の電子配信後３作をプリントアウトしてファイルが消去されたという履歴を配信元に提供することで電子配信の料金が割引される。
【０００９】
【発明の効果】電車の中などで読む場合には電子ファイルを紙に印刷することが便利である。このように電子ファイルを液晶画面などの電子ディスプレイで表示するよりも印刷したほうが楽に読める場合もある。本発明の電子図書システムを用いると、電子ディスプレイで読む場合は自由に読んでもらって、印刷をした場合にはファイルが消去されるというシステムであるので、利用者はまず電子ディスプレイの段階でじっくりとそのコンテンツの良否を見極めて必要な分を印刷したらその電子ファイルが消去されてもよいという満足が得られる。印刷しないでその電子ファイルを配信元に返却すれば電子配信料金を割り引きもしくは返金されるというシステムと組み合わせれば、この電子配信システムは気軽に利用してもらえうので、利用者が大幅に増える。
【図面の簡単な説明】
【図１】本発明の実施例１を示すフローチャートである。
【図２】本発明の実施例２を示すフローチャートである。
【図３】本発明の実施例３を示すフローチャートである。
【図１】
2004206650.tif 000003
【図２】
2004206650.tif 000004
【図３】
2004206650.tif 000005